(57)【要約】  【課題】限外濾過ユニット（２０１）、逆浸透ユニット（２０２）、及びタンク（２０３）を含む浄水システム（２００）を提供する。  【解決手段】限外濾過ユニット（２０１）が運転導管（２０４）上においてタンク（２０３）の上流にあり、タンク（２０３）が逆浸透導管（２１０）上において逆浸透ユニット（２０２）の上流にある。タンク（２０３）と限外濾過ユニット（２０１）との間には、逆洗導管（２０５）が配置される。  【選択図】図１
2013503744.tif 000002
【特許請求の範囲】
【請求項１】
ＵＦユニット、ＲＯユニット、タンク、及び
タンクとＵＦユニットの間の逆洗導管
を含む浄水システムであって、ＵＦユニットが運転導管上のタンクの上流にあり、タンクがＲＯ導管上のＲＯユニットの上流にある、浄水システム。
【請求項２】
運転導管でＵＦ透過液をＵＦユニットからタンクへと導き、ＲＯ導管でＵＦ透過液をタンクからＲＯユニットへとさらに導く生産モードをさらに含む、請求項１記載の浄水システム。
【請求項３】
ＲＯユニットからの濃縮液を処理するＲＯ回収ユニットをさらに含んでいて、生産モードで、ＲＯ回収ユニットからの透過液がＲＯ回収導管を通ってタンクへと導かれる、請求項２記載の浄水システム。
【請求項４】
逆洗導管が流体をタンクから上流方向にＵＦユニットを介して導くＵＦ逆洗モードをさらに含む、請求項２記載の浄水システム。
【請求項５】
前記タンクが、ＵＦ逆洗モード時にＲＯユニットが動作できる寸法である、請求項４記載の浄水システム。
【請求項６】
タンクとＵＦユニットの間に設けられるＵＦ洗浄導管と、タンクと動作可能に連絡した薬品供給管路とをさらに含んでいて、メンテナンス洗浄モードで、メンテナンス洗浄モードの洗浄サイクル中にＵＦ洗浄導管が洗浄液をタンクから運転導管に沿って上流から下流の方向にＵＦユニットを介して導き、洗浄剤が薬品供給管路を通ってタンクに導かれる、請求項５記載の浄水システム。
【請求項７】
メンテナンス洗浄モードが、ＵＦ日常洗浄モード、又はＵＦ月次回収洗浄再循環及びソークモードである、請求項６記載の浄水システム。
【請求項８】
洗浄剤が、次亜塩素酸ナトリウム、クエン酸及びリン酸の１種以上を含む、請求項６記載の浄水システム。
【請求項９】
タンクの内容物が加熱器を用いて加熱される、請求項８記載の浄水システム。
【請求項１０】
再循環導管とＵＦリンス導管をさらに含んでいて、ＵＦリンス導管が、タンクとＵＦユニットの間に配置され、メンテナンス洗浄モードのリンスサイクル中にリンス液を上流から下流の方向にＵＦユニットを介してタンクへと導き、ＲＯ導管が、洗浄剤をタンクからＲＯユニットに供給し、再循環導管が、洗浄液をＲＯユニットの生産水出口からタンクへと導く、請求項６記載の浄水システム。
【請求項１１】
洗浄サイクルを有するＲＯ洗浄モードをさらに含んでいて、ＲＯ導管が洗浄剤をＲＯユニットに供給し、再循環導管が洗浄液をＲＯユニットの生産水出口からタンク内へと導く、請求項１０記載の浄水システム。
【請求項１２】
リンスサイクルを有するＲＯ洗浄モードをさらに含んでいて、ブースター／ＣＩＰポンプがリンス液をタンクからＲＯユニットを介して導く、請求項１０記載の浄水システム。
【請求項１３】
ＲＯユニット濃縮液を処理するＲＯ回収ユニットをさらに含んでいて、ＲＯ洗浄モードの洗浄サイクルで、ＲＯ回収ユニットの透過液がＲＯ回収導管を通ってタンクへと導かれる、請求項１０記載の浄水システム。
【請求項１４】
ＵＦユニット、ブースター／ＣＩＰポンプ、ＲＯユニット及びタンクを含んでいて、ＵＦユニットが運転導管上の上流側端部に配置され、タンクが運転導管上の下流側端部に配置され、タンクがＲＯ導管上の上流側端部に配置され、ＲＯユニットがＲＯ導管上の下流側端部に配置され、ブースター／ＣＩＰポンプがＲＯ導管上のタンクの下流且つＲＯユニットの上流に配置される、浄水システム。
【請求項１５】
逆洗／ＣＩＰポンプをさらに含んでいて、逆洗／ＣＩＰポンプが、水をタンクから吸い出して逆洗導管を用いてＵＦユニットを介して上流に導く、請求項１４記載の浄水システム。
【請求項１６】
タンクが、ＲＯユニットに対する分解槽として、並びに逆洗／ＣＩＰポンプ及びブースター／ＣＩＰポンプに対する供給源としての役割を果たす、請求項１５記載の浄水システム。
【請求項１７】
前置フィルタが運転導管上のＵＦユニットの上流に配置され、ＵＦ給水ポンプが運転導管上の前置フィルタの上流に配置される、請求項１６記載の浄水システム。
【請求項１８】
ＵＦ／ＲＯ生産モード、ＵＦ逆洗及びＲＯ生産モード、ＵＦ日常メンテナンス洗浄モード、ＵＦ月次回収洗浄モード、又はＲＯ３ヶ月毎洗浄モードの少なくとも１つのモードで動作可能である、請求項１７記載の浄水システム。
【請求項１９】
ＵＦ透過液をタンクからＲＯユニットへとＲＯ導管に沿って導くステップと、ＵＦ逆洗モードで流体をタンクから逆洗導管に沿って上流方向にＵＦユニットを介して導くステッ含んでいて、タンクが、ＵＦ逆洗モード時にＲＯユニットが動作できる寸法である、浄水システムの運転方法。
【請求項２０】
浄水システムがさらに、ＲＯユニット濃縮液を処理するＲＯ回収ユニットを含み、ＲＯ回収ユニットの透過液が、ＲＯ回収導管を通ってタンクへと導かれる、請求項１９記載の方法。
【発明の詳細な説明】
【技術分野】
【０００１】
本発明は、浄水システムに関する。特に、本発明は、タンクを有する浄水システムに関する。
【背景技術】
【０００２】
限外濾過及び逆浸透浄水システムでは、従前、限外濾過定置洗浄タンク、限外濾過逆洗タンク、限外濾過透過液分解槽、及び逆浸透定置洗浄タンク等の複数のタンクが用いられてきた。
【先行技術文献】
【特許文献】
【０００３】
【特許文献１】米国特許出願公開第２００３／１２７３８８号
【発明の概要】
【発明が解決しようとする課題】
【０００４】
よって、浄水システムに必要なタンクの数を減らす必要がある。
【課題を解決するための手段】
【０００５】
本発明は、限外濾過ユニット、逆浸透ユニット及びタンクを含む浄水システムに関する。限外濾過ユニットは運転導管上のタンクの上流にあり、タンクは逆浸透導管上の逆浸透ユニットの上流にある。逆洗導管はこのタンクと限外濾過ユニットとの間に配置される。
【図面の簡単な説明】
【０００６】
【図１】本発明の一実施形態による限外濾過／逆浸透生産モードで動作する浄水システムの概略図である。
【図２】本発明の一実施形態による限外濾過逆洗／逆浸透生産モードで動作する浄水システムの概略図である。
【図３】本発明の一実施形態による限外濾過日常メンテナンス洗浄モードで動作する浄水システムの概略図である。
【図４】本発明の一実施形態による限外濾過日常メンテナンスリンスモードで動作する浄水システムの概略図である。
【図５】本発明の一実施形態による限外濾過月次回収洗浄再循環及びソークモードで動作する浄水システムの概略図である。
【図６】本発明の一実施形態による限外濾過月次回収洗浄リンスモードで動作する浄水システムの概略図である。
【図７】本発明の一実施形態による逆浸透３ヶ月毎洗浄モードで動作する浄水システムの概略図である。
【図８】本発明の一実施形態による逆浸透３ヶ月毎リンスモードで動作する浄水システムの概略図である。
【発明を実施するための形態】
【０００７】
本発明の上記その他の特徴、態様及び利点については、図面と併せて以下の詳細な説明を参照することによって理解を深めることができるであろう。
【０００８】
本明細書及び請求項で用いる近似表現は、数量を修飾し、その数量が関係する基本機能に変化をもたらさない許容範囲内で変動しうる数量を表現する際に適用される。したがって、「約」のような用語で修飾された値はその厳密な数値に限定されない。場合によっては、近似表現は、その値を測定する機器の精度に対応する。本明細書に記載された範囲の上下限は、互いに結合及び／又は入れ替えることができ、そうした範囲が特定されていても、文言上又は文脈から別途明らかでない限り、その範囲内に属するあらゆる中間範囲が包含される。実施例又は別途明示されていない限り、成分、反応条件などの量に関する数又は表記はすべて、すべての例で用語「約」で修飾されていると理解すべきである。
【０００９】
「任意の」又は「任意には」という用語は、その用語に続いて記載された事象又は状況が起きても起きなくてもよいこと、或いはその用語に続いて記載された材料が存在しても存在しなくてもよいことを意味しており、かかる記載はその事象又は状況が起こる場合と起こらない場合並びにその材料が存在する場合と存在しない場合とを包含する。
【００１０】
本明細書で用いる「含む」、「備える」及び「有する」という用語は内包的なものであり、記載した構成要素以外の追加の要素が存在していてもよいことを意味する。例えば、一群の構成要素を含むプロセス、方法、製品又は装置は、必ずしもそれらの構成要素に限定されるものではなく、そうしたプロセス、方法、製品又は装置の明示されていない又はそれらに固有の他の構成要素を含んでいてもよい。
【００１１】
単数形で記載したものであっても、前後関係から明らかでない限り、複数の場合も含めて意味する。
【００１２】
図１〜図８のモード１〜５に示す浄水システム２００は、限外濾過膜（「ＵＦ」）ユニット２０１、逆洗／定置洗浄（「ＣＩＰ」）ポンプ２１５、ブースター／定置洗浄（「ＣＩＰ」）ポンプ２１４、逆浸透（「ＲＯ」）高圧ポンプ２１９、ＲＯユニット２０２、タンク２０３、及びタンク液面制御装置２１８（「ＬＣ」）を含む。ＵＦユニット２０１は、ＲＯユニット２０２を介して連続流を供給可能な大きさである。このシステムは、任意にはＵＦ給水ポンプ２１７、前置フィルタ２１６、及びＲＯ回収ユニット２２２を含む。タンク２０３は、ＲＯユニット２０２、ＲＯ回収ユニット２２２、及びＵＦユニット２０１からの流入水を受け入れる。さらに、タンク２０３は、ＵＦ透過液分解槽としての役割と、逆洗／ＣＩＰポンプ２１５及びブースター／ＣＩＰポンプ２１４に対する供給源としての役割を果たすという点で多機能である。ＬＣ２１８は、各モードにおけるタンク２０３内の液面の監視と制御に用いられる。図１〜図８では、各図面に示すモードで使用される導管を太線で、使用される部品を網掛けで、そして使用されない部品を斜線で示す。
【００１３】
図１〜図８に示すように、ＵＦユニット２０１とタンク２０３はいずれも、別々のドレン２２１及び２２３を有する。通常、ＵＦユニット２０１、タンク２０３、ＲＯユニット２０２、及びＲＯ回収ユニット２２２の内容物は、雑排水ドレン内に排出される。しかし、これらの内容物が雑排水と同様に処理できない酸又はその他の物質を含む場合は、内容物は中和タンク内に排出される。さらに、幾つかの実施形態では、ＲＯユニット透過液、ＲＯユニット濃縮液、ＲＯ回収ユニット透過液、及びＲＯ回収ユニット濃縮液が、別々のドレン管路を有することが考えられる。浄水システム２００の幾つかの実施形態では、約１００ガロン／分〜約３００ガロン／分の水を処理することを企図している。さらに、浄水システム２００のその他の実施形態では、約５０ガロン／分〜約５００ガロン／分の水を処理することを企図している。
【００１４】
ＵＦ／ＲＯ生産モードであるモード１を示す図１を参照すると、ＵＦ給水ポンプ２１７は、水源２２０の水を、前置フィルタ２１６とＵＦユニット２０１に通す。運転導管２０４は、ＵＦ透過液をタンク２０３に導く。ＲＯ導管２１０は、ＵＦ透過液をタンク２０３からブースター／ＣＩＰポンプ２１４、ＲＯ高圧ポンプ２１９、そしてＲＯユニット２０２へと導く。透過液は、ＲＯユニット２０２から生産水として流出し、ＲＯユニット濃縮液は任意のＲＯ回収ユニット２２２内に送られる。ＲＯ回収ユニット透過液はＲＯ回収導管２０６からタンク２０３に戻り、ＲＯ回収ユニット濃縮液はＲＯ／ＲＯ回収ドレン２２４内へと導かれる。
【００１５】
加えて、ＲＯユニット濃縮液をＲＯ／ＲＯ回収ドレン２２４内へと導くことにより、任意のＲＯ回収ユニット２２２をバイパス可能である。システムが任意のＲＯ回収ユニット２２２を内蔵しない場合は、ＲＯユニット濃縮液はＲＯ／ＲＯ回収ドレン２２４内へと導かれる。
【００１６】
ＵＦユニット逆洗及びＲＯユニット生産モードであるモード２を示す図２を参照すると、システムは、タンク２０３の内容物を用いた逆洗モード運転と、ＲＯユニット２０２を用いた生産水の生産とを同時に行う。したがって、タンク２０３は、逆洗モードにおける連続的なＲＯ動作が可能な大きさである。逆洗モードで、逆洗／ＣＩＰポンプ２１５は、ＵＦ透過液をタンク２０３から逆洗導管２０５を介して逆方向にＵＦユニット２０１へと導く。ＵＦ透過液は、その後、ＵＦユニット２０１から流出し、ＵＦユニットドレン２２１へと導かれる。
【００１７】
さらに、モード２において、ＲＯ導管２１０は、タンク２０３からの流体をブースター／ＣＩＰポンプ２１４とＲＯ高圧ポンプ２１９とを介してＲＯユニット２０２へと導く。ＲＯユニット透過液は、生産水として流出し、ＲＯユニット濃縮液はＲＯ回収ユニット２２２へと送られる。ＲＯ回収ユニット透過液は、ＲＯ回収導管２０６を介してタンク２０３に戻され、ＲＯ回収ユニット濃縮液はＲＯ／ＲＯ回収ドレン２２４へと導かれる。システムが任意のＲＯ回収ユニット２２２を内蔵しない場合は、ＲＯユニット濃縮液はＲＯ／ＲＯ回収ドレン２２４へと導かれる。
【００１８】
この好適な実施形態において、システムは回収及び給水に基づいて約３０分毎にモード２に入る。モード２の期間は、プレエアレーションと逆洗／ＣＩＰポンプ２１５の立上り及び立下りと、ＵＦ給水ポンプ２１７の立上り及びリンスとを含めて約１２０秒である。下表に、ひとつの考えられる逆洗プロセスモード２の詳細を示すが、これに代わるものも考えられる。この表では、幾つかの実施形態に含まれると考えられるＵＦユニット洗浄ブロワ等のエアレーション設備の使用が検討されている。
【００１９】
【表１】
2013503744.tif 000003
モード３を示す図３を参照すると、システムはＵＦ日常メンテナンス洗浄モードにある。ＵＦ日常メンテナンス洗浄モードでは、薬品供給管路２０８を介してタンク２０３の内容物に薬品を添加することにより洗浄液をタンク２０３内で作製する。このような薬品として、無機汚損の抑制に役立つクエン酸又はリン酸と、有機汚損の抑制に役立つ次亜塩酸塩とが挙げられる。逆洗／ＣＩＰポンプ２１５は、洗浄液をタンク２０３からＵＦ洗浄導管２０７へと導き、ＵＦ洗浄導管２０７は洗浄液を上流から下流の方向に沿ってＵＦユニット２０１を介して導いた後に再びタンク２０３に戻す。日常メンテナンス洗浄モード中は通常、ＲＯユニット２０２の運転は停止する。
【００２０】
モード３ａに続いて、システムは、図４に示すモード３ｂの日常メンテナンスリンスモードになる。日常メンテナンスリンスモードで、ＵＦ給水ポンプ２１７は、水源２２０の水をＵＦリンス導管２１２を介して送り、ＵＦリンス導管２１２は、水源２２０の水を上流から下流の方向に前置フィルタ２１６とＵＦユニット２０１とを介してタンク２０３内へと導く。日常メンテナンスリンスモードで用いるリンス液は、ＵＦユニットドレン２２１とタンクドレン２２３から排出される。また、このリンスモード中は通常、ＲＯユニット２０２の運転は停止する。
【００２１】
日常メンテナンス洗浄はＵＦ膜の寿命を延ばす。この好適な実施形態では、モード３ａ〜ｂの期間は、ＵＦ排液、ＣＩＰ内容物の移送、再循環、ＣＩＰ溶液の排液及び薬品フラッシングを含めた約２７分である。下表に、１つの考えられる日常メンテナンス洗浄及びリンスプロセスモード３ａ〜ｂの詳細を示すが、これに代わるものも考えられる。
【００２２】
【表２】
2013503744.tif 000004
モード４ａを示す図５を参照すると、システムは、ＵＦ月次回収洗浄再循環及びソークモードにある。このモードでは、薬品供給管路２０８を介してタンク２０３の内容物に薬品を添加し、加熱器２０９を用いて流体を加熱することにより、洗浄液をタンク２０３内で作製する。このような薬品として、有機汚損の抑制に役立つ次亜塩素酸ナトリウムと、無機汚損の抑制に役立つクエン酸又はリン酸とが挙げられる。逆洗／ＣＩＰポンプ２１５は、洗浄液をタンク２０３からＵＦ洗浄導管２０７へと導き、ＵＦ洗浄導管２０７は、この洗浄液を上流から下流の方向に沿ってＵＦユニット２０１を介して導いた後に、再びタンク２０３に戻す。このモードの最後に重亜硫酸塩を添加して、あらゆる塩素を除去する。タンク２０３と加熱器２０９は、タンク２０３の内容物を４時間で４０°Ｃ（１０４°Ｆ）に加熱可能な大きさである。このモード中、通常は、ＲＯユニット２０２の運転は停止する。モード４ａの洗浄はモード３ａよりも徹底している。
【００２３】
モード４ａに続いて、システムは、図６に示すＵＦ月次回収洗浄リンスモード４ｂになる。このモードで、ＵＦ給水ポンプ２１７は、水源２２０の水をＵＦリンス導管２１２を介して送り、ＵＦリンス導管２１２は、水源２２０の水を上流から下流の方向に、前置フィルタ２１６とＵＦユニット２０１とを介してタンク２０３内へと導く。ＵＦユニット２０１とタンク２０３とはいずれも、ＵＦ月次回収洗浄リンスモード時にリンス液を排出するドレン２２１及び２２３を有する。さらに、このリンスモード中、通常は、ＲＯユニット２０２の運転は停止される。
【００２４】
この好適な実施形態において、モード４ａ〜ｂの期間は、ＵＦ排液、ＣＰＩ内容物移送、再循環及びソーク、ＣＩＰ液の排液及び薬品フラッシングを含めた約３１７分である。下表に、ひとつの考えられる月次回収洗浄再循環、ソーク及びリンスモード４ａ〜ｂの詳細を示すが、これに代わるものも考えられる。
【００２５】
【表３】
2013503744.tif 000005
図７を参照すると、モード５ａのとき、システムはＲＯ洗浄モードにある。このとき、運転、逆洗、洗浄、及びリンスの各導管が閉鎖される。このモードでは、薬品供給管路２０８を介してタンク２０３の内容物に薬品を添加し、タンク浸漬加熱器２０９を用いてこの液体を加熱することにより、タンク２０３内で洗浄液を作製する。ブースター／ＣＩＰポンプ２１４は、洗浄液をタンク２０３からＲＯ導管２１０へと導き、ＲＯ導管２１０はＲＯ高圧ポンプ２１９を介して洗浄液をＲＯユニット２０２内へと導く。ＲＯユニット透過液は、再循環導管２１１を介してタンク２０３に戻され、濃縮液はＲＯ回収ユニット２２２へと導かれる。ＲＯ回収ユニット２２２からの透過液及び濃縮液はいずれも、ＲＯ回収導管２０６を通ってタンク２０３に戻る。
【００２６】
或いは、モード５ａにおいて、ＲＯ高圧ポンプ２１９の運転を停止し、ブースター／ＣＩＰポンプ２１４のみを用いて洗浄液をタンク２０３からＲＯ回収バイパス導管２２５を介してＲＯ回収ユニット２２２へと導くことにより、ＲＯユニット２０２をバイパスしてもよい。ＲＯ回収ユニット２２２の透過液及び濃縮液はいずれも、回収再循環導管２１１通ってタンク２０３に戻る。
【００２７】
モード５ａに続いて、システムは、図８に示すモード５ｂのＲＯ洗浄リンスモードになる。このとき、水源２２０の水はＵＦ給水ポンプ２１７により前置フィルタ２１６とＵＦユニット２０１とを介して運転導管２０４に沿ってタンク２０３内へとポンプ送液される。ブースター／ＣＩＰポンプ２１４は、ＵＦ透過液をタンク２０３からＲＯ高圧ポンプ２１９へと導き、ＲＯ高圧ポンプ２１９はＵＦ透過液をＲＯ導管２１０に沿ってＲＯユニット２０２内へと導く。ＲＯユニット透過液は、ＲＯ／ＲＯ回収ドレン２２４へと導かれ、ＲＯユニット濃縮液はＲＯ回収ユニット２２２へと導かれる。ＲＯ回収ユニット透過液及び濃縮液は、ＲＯ／ＲＯ回収ドレン２２４へと導かれる。
【００２８】
代替的に、モード５ｂにおいて、ＲＯ高圧ポンプ２１９の運転を停止し、ブースター／ＣＩＰポンプ２１４のみを用いて、流体をタンク２０３からＲＯ回収バイパス導管２２５を介してＲＯ回収ユニット２２２へと導くことにより、ＲＯユニット２０２をバイパスしてもよい。ＲＯ回収ユニット透過液及び濃縮液は、ＲＯ／ＲＯ回収ドレン２２４へと導かれる。一実施形態では、５ａ及び５ｂに示すＲＯ洗浄モードを約３ヶ月に１回行う。
【００２９】
別の言い方をすれば、流入水が上流から下流の方向に沿って上流のＵＦユニット２０１を通り、下流のＲＯユニット２０２を通って流れる種類の浄水システム２００では、タンク２０３がこのＵＦユニット２０１とＲＯユニット２０２との中間に配置される。運転導管２０４を設けて、ＵＦ透過液をタンク２０３へと導く。ＲＯ導管２１０を設けて、浄水運転モードでＵＦ透過液をタンク２０３からＲＯユニット２０２へと導く。加えて、タンク２０３とＵＦユニット２０１との間に逆洗導管２０５を設けて、ＵＦ逆洗モード運転において、逆洗又は逆流流体流を下流から上流の方向に、タンク２０３からＵＦユニット２０１を介して導く。逆洗モード時は、必要に応じて、タンク２０３からＲＯユニット２０２を介してＲＯ導管２１０から、透過液の供給を行うことができる。
【００３０】
日常メンテナンス洗浄モードの運転では、ＵＦ洗浄導管２０７がタンク２０３とＵＦユニット２０１との間に設けられ、洗浄液流を上流から下流の方向に沿ってタンク２０３からＵＦユニット２０１に通す。タンク２０３と動作可能に連絡した薬品供給管路２０８は、タンク２０３に薬品を供給してこの洗浄機能を行うために用いられる。例えば、１つの供給管路を介して次亜塩素酸ナトリウムを供給して有機汚損の抑制を促進しながら、必要に応じて第２の薬品供給管路を介してタンク２０３にクエン酸又はリン酸を供給して無機汚損の低減を促進することができる。日常的なＵＦ洗浄サイクル中は、通常、ＲＯユニット２０２は運転を停止する。この洗浄サイクルでは、さらにまたＵＦ洗浄導管２０７を用いてタンク２０３からＵＦユニット２０１に洗浄液を再循環させることもできる。
【００３１】
また、ＵＦリンス導管２１２を用いて、ＵＦリンスモード運転においてＵＦユニット２０１を介してリンス液を上流から下流の方向に導いた後、タンク２０３内へと導く。タンク２０３はさらに、ＵＦリンスモード運転時にリンス液を自身から排液するドレン手段２２３を含む。また、このリンスモード中は、ＲＯユニット２０２は通常、運転を停止する。幾つかの実施形態では、運転導管２０４をリンス導管２１２として用いることが考えられる。
【００３２】
また別のモードの運転では、ＲＯユニット２０２を洗浄する。このとき、運転、逆洗、洗浄及びリンスの各導管は閉鎖される。ＲＯ導管２１０を用いて洗浄剤をＲＯユニット２０２に供給する。再循環導管２１１は、ＲＯユニット２０２の下流側生産水出口２２６からタンク２０３まで延在しており、ＲＯ洗浄液をタンク２０３に再循環させる。さらに、ＲＯ回収導管２０６がＲＯの濃縮液出口２１３から延在しており、洗浄液をタンク２０３に戻す。任意のＲＯ回収ユニット２２２を用いる実施形態では、ＲＯ回収ユニット２２２からの透過液及び濃縮液を、ＲＯ回収導管２０６を介してタンク２０３に戻す。通常、最初に行われる洗浄処理が酸洗浄であり、続いてタンク２０３、ＲＯユニット２０２、及び任意のＲＯ回収ユニット２２２を介した苛性物質の循環が行われる。
【００３３】
一般に、このようなＲＯユニット２０２は、周期的にすすがれる。このとき、水源２２０の水又は流入水がＵＦユニット２０１を介してタンク２０３にポンプ送液され、ＲＯ高圧ポンプ２１９を用いることによりＲＯ導管２１０を介してタンク２０３からＲＯユニット２０２内へと流れる。その後、このリンス液は、ＲＯユニット２０２のリンス後にＲＯ／ＲＯ回収ドレン２２４を介して排出される。
【００３４】
上述の特定の実施形態に関して本発明を説明してきたが、数多くの代替、組合せ、修正及び変更が当業者には自明であろう。従って、上述の本発明の好ましい実施形態は例示にすぎず、限定的な意味に解すべきではない。本発明の技術的思想及び技術的範囲から逸脱せずに、様々な変更を加えることができる。従って、本発明の技術的範囲は、上述の実施形態だけでなく、特許請求の範囲に記載された範囲に属するあらゆるものを包含する。
【００３５】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【図１】
2013503744.tif 000006
【図２】
2013503744.tif 000007
【図３】
2013503744.tif 000008
【図４】
2013503744.tif 000009
【図５】
2013503744.tif 000010
【図６】
2013503744.tif 000011
【図７】
2013503744.tif 000012
【図８】
2013503744.tif 000013
【国際調査報告】
2013503744.tif 000014
2013503744.tif 000015